(57)【特許請求の範囲】
【請求項１】
内燃機関用のピストン・シリンダ構成ユニットであって、スカート無しのピストンが設けられており、該ピストンが、ピストンリングを収容するためのリングユニットを有するピストンヘッドと、該ピストンヘッドから延びる複数のボスとから成っており、ボスが、ピストンピンを収容するためのボス孔を備えており、また、シリンダが設けられており、該シリンダ内に前記ピストンが滑り摺動可能に配置されている形式のものにおいて、
少なくとも１つの支持リング（９）がボス（３）に装嵌されて、ピストンヘッド（２）と一緒にピストン（１）をシリンダ内でガイドするようになっており、支持リング（９）の重心が、該支持リング（９）の支持面に対して垂直に位置する平面上に設けられており、前記支持面がシリンダ直径の最大１５％で、ピン軸平面の下方または上方に配置されていることを特徴とする、ピストン・シリンダ構成ユニット。
【請求項２】
支持リング（９）が雌ねじ山を有していて、ボス（３）が雄ねじ山を有しており、支持リング（９）が前記ボス（３）に螺合されている、請求項１記載のピストン・シリンダ構成ユニット。
【請求項３】
支持リング（９）が複数のねじによってボス（３）にねじ締結されている、請求項１記載のピストン・シリンダ構成ユニット。
【請求項４】
支持リング（９）がボス（３）に焼ばめされている、請求項１記載のピストン・シリンダ構成ユニット。
【請求項５】
支持リング（９）が、内方に向かって締付け作用を生ぜしめるように、ボス（３）に設けられた溝（８）内に位置している、請求項１記載のピストン・シリンダ構成ユニット。
【請求項６】
支持リング（９）がボス（３）によって補強されている、請求項１記載のピストン・シリンダ構成ユニット。
【請求項７】
支持リング（９）がボス（３）に溶接されている、請求項１記載のピストン・シリンダ構成ユニット。
【請求項８】
支持リング（９）がＴ字形の横断面を有している、請求項１から７までのいずれか１項記載のピストン・シリンダ構成ユニット。
【請求項９】
支持リング（９）の高さがボス孔（７）の直径より小さくなっている、請求項１から８までのいずれか１項記載のピストン・シリンダ構成ユニット。
【請求項１０】
支持リング（９）の高さがボス孔（７）の半径より小さくなっている、請求項９項記載のピストン・シリンダ構成ユニット。
【請求項１１】
支持リング（９）の高さがボス孔（７）の直径の２０％より小さくなっている、請求項９記載のピストン・シリンダ構成ユニット。
【請求項１２】
支持リング（９）とボス（３）との間にアダプタ片が設けられている、請求項１から１１までのいずれか１項記載のピストン・シリンダ構成ユニット。
【発明の詳細な説明】
本発明は、請求項１の上位概念に記載の形式のピストン・シリンダ構成ユニットに関する。
このような形式のピストン・シリンダ構成ユニットは、「MAHLE-Kolloquium（マーレ社・コロキウム）」（１９７３年）における「Pendelschaftkolben（揺動式スカートピストン）」の説明会で公開された。この説明会で用いられた図２には、それぞれ１１１．１ｍｍ、８２ｍｍおよび７５ｍｍの直径を有する、スカート無しの複数のピストンが紹介されており、これらのピストンは機関内実験によってテストされた。付属のテキストには実験結果として、このようなピストンのリング区域だけが完全にガイドされ、しかもこの際、著しく狭められたリング区域あそびを達成することができる、という点が報告されている。続く説明から明らかなように、スカート無しのピストンは、コネクティングロッドの側方ガイドが十分に保証されていないという作動条件に基づき、大量生産については考慮されていない。
このような形式のピストンの別の欠点が、支持面の激しい摩耗、特に縁部摩耗である。
このような構造において可能な必要不可欠な狭いあそびも、特性曲線に調整された燃焼経過における支障が生じない限りにおいてのみ有利である。しかしながらこのことは、これまでの経験から判断すると、保証されていない。燃焼経過における支障が生じ、かつピストンヘッドにおける温度レベルが上昇した場合には、ピストン食込みが生じる恐れがある。
従って、本発明の課題は、スカート無しのピストンを大量生産に適するように構成し、かつ、前記欠点を回避することである。
このような課題は、本発明によるピストンが、請求項１の特徴部に記載の構成を有していることによって解決される。また、本発明のさらに有利な構成が、請求項２項以下に記載されている。
ボスに装嵌された１つ、場合によっては２つの支持リングの、十分な安定性を保証するために必要不可欠な最小限の高さを機関内実験によって規定することができ、この場合、最小限の高さはまず第一にピストン重量、ピストン直径およびピストン速度に基づいており、このような支持リングによるピストンのガイドは、コネクティングロッドの十分な側方ガイドを保証し、かつ縁部摩耗を顕著に減じる。ピストンを、リングユニットの領域でも支持リングの領域でもガイドすることによって、不都合な作動条件、もしくは予定外の作動条件でもピストン食込みを生ぜしめることのないあそびをピストンのリングユニットの領域に設けることができる。
スカートを備えたピストン、特に揺動式スカートを備えたピストンと比較すると、スカートを省略することによって、重量およびコストに関する顕著な利点が得られる。ただしこれらの利点は、ヒンジ構造形式によって得られた利点が失われる、という欠点を代償として得られるものである。
ピストンに設けられる支持リングは、例えば米国特許第２９６６３８２号明細書により公知ではあるものの、この支持リングは、スカートも有しているピストンと協働しているに過ぎない。この際、支持リングは大抵の場合、鉄材料もしくは鋼材料から成っており、アルミニウム材料から成るスカートを摩耗から保護しようとするものである。ボスに直接に装嵌される支持リングは公知ではない。
原理的に本発明は揺動式スカートピストンの上方部分に基づいており、この際、ピストンにヒンジ結合された揺動式スカートの代わりに、簡単な支持リングが、有利にはピン軸線の高さもしくはピン軸線の領域で、ボスに装着されている。
さらなる安定化のために、（必要ならば）第２の支持リングをボスに装着することができる。
支持リングは２部分から構成されていてもよい。
必要ならば、支持リングは、ピストンにおいて汎用の摺動層（Laufschicht）によって被覆されていてもよい。
ピストンヘッド内に冷却通路を有するピストンの場合には、この冷却通路の下方の制限壁が、２部分から成る円環状の薄板によって形成され（この薄板の内径部分がボス支持部の溝内に設けられており）、前記薄板の外径部分における固定が、有利には、支持リングと薄板との間に締め付けられたスペーサスリーブによって行われる。このスペーサスリーブは、支持リングの内径にほぼ相当する内径を有している。スペーサスリーブの所望の緊締は、請求項２記載の支持リングの構成によって行うことができる。
支持リングをほぼピン軸線の高さに固定する場合には、この支持リングは、従来技術において公知のプラスチック製の複数のキノコ形固定装置（Pilzsicherung）を用いて、ピン固定リングの機能を果たすことも可能であり、これらのキノコ形固定装置は端面側でピンに差し込まれ、支持リングに当接することができる。
スリットの設けられた一体構造的な支持リングを使用する場合には、キノコ形固定装置を、このキノコ部分に（、ウェブによって分割された）２つの溝を設けることによって、支持リングのための回動防止機構としても構成することができ、両溝のそれぞれが、支持リングの当接部端部を収容する。この際、ウェブはリング当接部に位置している。同時に、このような固定によって、両溝内に支持リング両端部を軸方向に十分に密接に嵌合させることによって、支持リングの、リング当接部の領域における摺動状態が安定化する。
ピストン・コネクティングロッド結合部の組立ては、組立て完了されたコネクティングロッドのスモールエンドを介して支持リングを押し込むことによって行われる。次いで、コネクティングロッドがピンによってピストンと結合される。その後、支持リングがボス上に固定されるか、もしくは内方に向かって締付け作用を生ぜしめる支持リングの場合には、ボスに旋削加工された溝内に装嵌される。
ピストンおよび支持リング材料として、汎用の全てのピストン材料が考慮される。支持リングは、片状黒鉛鋳鉄（GGL）または球状黒鉛鋳鉄（GGG）から製造されていると有利である。
支持リングは、方形または台形状の横断面を有しているか、もしくはＵ字形成形体またはＴ字形成形体であってよい。
支持リングは、有利には（アダプタ片を介在せずに）直接に、ボス上に設けられているか、もしくはボスに旋削加工された溝内に設けられている。しかしながら、必要ならば、アダプタ片を使用することもできる。
以下に、図示の実施例に基づき本発明を説明する。
第１図は、支持リングを備えた本発明によるピストンの左側を、第２図に基づいて断面した図であり、
第２図は、本発明によるピストンを、支持リングの下方で横断面した図である。
スカートを有していないピストン１が、ピストンヘッド２と、このピストンヘッド２から延びる複数のボス３と、ピストンヘッド２に半径方向に刻み込まれた、それぞれピストンリングを収容するための複数のリング溝４，５，６とから構成されている。ボス３は、ピストンピンを収容するための孔７を有している。ボス３に、ピストン１の周方向でピン軸線の高さで、溝８が刻み込まれており、この場合、溝８は、僅かな角度にわたってのみ、すなわちボスの、刻込みされるボス面ごとに、約１５〜３０°の角度にわたってのみ延びている。
両ボス３はそれぞれスラスト側と反スラスト側とに刻込みされるので、溝８は、全４面にわたって合わせて約６０〜１２０°の角度範囲を有している。溝８内には（ボス３に直接に、）内方へ向かってばね弾性的に、Ｔ字形の横断面を有する支持リング９が設けられており、この支持リング９はシリンダ内壁と滑動するように接触しており、こうしてリングユニットと一緒にピストンをシリンダ内でガイドする。
【図１】
0003881023.tif 000002
【図２】
0003881023.tif 000003